【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
スーパースイッチを含む配電系統を構成する方法であって、
前記配電系統の状態情報を、リアルタイムに測定し収集することと、
評価間隔および目的関数を使用して、前記状態情報を定期的に評価することと、
前記目的関数および制約を使用して前記配電系統の構成についての候補のセットを、前記評価した後に生成されるシステム構成信号に応じて、生成することと、
前記構成についての前記候補から、最適候補を選択することと、
前記最適候補の安定性分析を実行することと、
前記最適候補が最小安定性余裕を有するとき、運転サイクルを使用して、前記配電系統の前記構成を、前記スーパースイッチを使用して前記最適候補に変更することと、
を備え、
前記運転サイクルは、前記評価間隔より長い
配電系統を構成する方法。
【請求項２】
前記スーパースイッチは、固体スイッチである、
請求項１に記載の方法。
【請求項３】
前記固体スイッチは、フェーザ測定ユニットによって制御される、
請求項２に記載の方法。
【請求項４】
前記配電系統を、隣接する基本切換えセクションを組合せることによって自己充足セクションになるよう分割することをさらに備え、
それぞれの前記基本切換えセクションは、前記配電系統がサービス提供するかまたは分離する最小セクションであり、
それぞれの前記自己充足セクションは、独立に運転し、安定した周波数および電圧を維持するのに十分な発電および貯蔵予備力を有する、
請求項１に記載の方法。
【請求項５】
制約のセットに違反することなく実行可能自己充足セクションを決定することをさらに備え、
前記制約のセットは、最小電圧制約および最大電圧制約、２方向に関する電力潮流制限、貯蔵の充電および放電による負荷および発電の平衡要件、発電機のランプアップ制約およびランプダウン制約、貯蔵についての最小の充電時間および放電時間、貯蔵についての充電状態、最小安定性余裕制約を含む、
請求項４に記載の方法。
【請求項６】
複数の目的関数によって前記自己充足セクションの最適な組合せを決定することをさらに備え、
前記複数の目的関数は、線路損失の最小化、電圧偏差および違反の最小化と、負荷偏差および過剰負荷の最小化、自発的負荷低減および強制負荷削減の最小化、未使用再生可能エネルギーおよび主グリッド電力購入の最小化、軽い負荷によるスイッチ動作およびスイッチ閉鎖の回数の最小化、および過渡安定性余裕の最大化を含む、
請求項４に記載の方法。
【請求項７】
前記最小安定性余裕は、リアルタイム配電を補償するための貯蔵補償余裕（ＳＣＭ）を含む、
請求項１に記載の方法。
【請求項８】
過渡セキュリティ指数は、貯蔵補償電力余裕（ＳＣＰＭ）および貯蔵補償エネルギー余裕（ＳＣＥＭ）を含む、
請求項７に記載の方法。
【請求項９】
自己充足セクションについての前記ＳＣＰＭは、前記セクションの通電された貯蔵の充電電力容量と放電電力容量との差、および、前記自己充足セクション内の予期しない擾乱に起因する、必要とされる仮想充電電力定格と仮想放電電力定格との差として決定される、
請求項８に記載の方法。
【請求項１０】
自己充足セクションについての前記ＳＣＥＭは、前記セクションの通電された貯蔵の充電エネルギー容量と放電エネルギー容量との差、および、前記自己充足セクション内の予期しない擾乱に起因する、必要とされる仮想充電エネルギー定格と仮想放電エネルギー定格との差として決定される、
請求項８に記載の方法。
【請求項１１】
配電系統であって、
前記配電系統の構成を変更するスーパースイッチと、
前記スーパースイッチと接続され、前記スイッチを操作する変電所であって、前記変電所は、送電系統から前記配電系統に電力を供給する前記送電系統の主グリッドに接続され、前記変電所は、
前記スーパースイッチを使用して前記配電系統の状態情報を、リアルタイムに測定し収集することと、
評価間隔および目的関数を使用して、前記状態情報を定期的に評価することと、
前記目的関数および制約を使用して前記配電系統の構成についての候補のセットを、前記評価した後に生成されるシステム構成信号に応じて、生成することと、
前記構成についての前記候補から、最適候補を選択することと、
前記最適候補の安定性分析を実行することと、
前記最適候補が最小安定性余裕を有するとき、運転サイクルを使用して、前記配電系統の前記構成を、前記スーパースイッチを使用して前記最適候補に変更することであって、前記運転サイクルは、前記評価する間隔より長いことと、
を含むステップを有する演算操作を実行する、変電所と、
を備えた配電系統。
【請求項１２】
前記スーパースイッチは、フェーザ測定ユニットによって制御される
請求項１１に記載の配電系統。
【請求項１３】
前記ステップは、
前記配電系統を、隣接する基本切換えセクションを組合せることによって自己充足セクションになるよう分割することをさらに備え、
それぞれの前記基本切換えセクションは、前記配電系統がサービス提供するかまたは分離する最小セクションであり、
それぞれの前記自己充足セクションは、独立に運転し、安定した周波数および電圧を維持するのに十分な発電および貯蔵予備力を有する、
請求項１１に記載の配電系統。
【請求項１４】
前記ステップは、
制約のセットに違反することなく実行可能自己充足セクションを決定することをさらに備え、
前記制約のセットは、最小電圧制約および最大電圧制約、２方向に関する電力潮流制限、貯蔵の充電および放電による負荷および発電の平衡要件、発電機のランプアップ制約およびランプダウン制約、貯蔵についての最小の充電時間および放電時間、貯蔵についての充電状態、最小安定性余裕制約を含む、
請求項１３に記載の配電系統。
【請求項１５】
前記ステップは、
複数の目的関数によって前記自己充足セクションの最適な組合せを決定することをさらに備え、
前記複数の目的関数は、線路損失の最小化、電圧偏差および違反の最小化と、負荷偏差および過剰負荷の最小化、自発的負荷低減および強制負荷削減の最小化、未使用再生可能エネルギーおよび主グリッド電力購入の最小化、軽い負荷によるスイッチ動作およびスイッチ閉鎖の回数の最小化、および過渡安定性余裕の最大化を含む、
請求項１３に記載の配電系統。
【請求項１６】
前記最小安定性余裕は、リアルタイム配電を補償するための貯蔵補償余裕（ＳＣＭ）を含む、
請求項１１に記載の配電系統。
【請求項１７】
過渡セキュリティ指数は、貯蔵補償電力余裕（ＳＣＰＭ）および貯蔵補償エネルギー余裕（ＳＣＥＭ）を含む、
請求項１６に記載の配電系統。
【請求項１８】
自己充足セクションについての前記ＳＣＰＭは、前記セクションの通電された貯蔵の充電電力容量と放電電力容量との差、および、前記自己充足セクション内の予期しない擾乱に起因する、必要とされる仮想充電電力定格と仮想放電電力定格との差として決定される、
請求項１７に記載の配電系統。
【請求項１９】
自己充足セクションについての前記ＳＣＥＭは、前記セクションの通電された貯蔵の充電エネルギー容量と放電エネルギー容量との差、および、前記自己充足セクション内の予期しない擾乱に起因する、必要とされる仮想充電エネルギー定格と仮想放電エネルギー定格との差として決定される、
請求項１７に記載の配電系統。
【請求項２０】
前記スーパースイッチは、固体スイッチである、
請求項１１に記載の配電系統。